(57)【要約】【課題】  水切り棚を備える水切り棚キャビネットにおいて水切り後の水滴を側板に付着させることがない水切り棚キャビネットを提供することにある。  【解決手段】  水切り棚と、前記水切り棚が固定されるキャビネット側板と、を備える水切り棚キャビネットにおいて、前記キャビネット側板と、前記キャビネット側板に固定される水切り棚固定部と、の間にスペーサーを備えることを特徴とする水切り棚キャビネット。または、水切り棚と、前記水切り棚が固定されるキャビネット側板と、を備える水切り棚キャビネットにおいて、前記キャビネット側板の下端よりも下方に前記水切り棚固定部の下端部を備えることを特徴とする水切り棚キャビネット。【選択図】  図１
2005137700.tif 000002
【特許請求の範囲】
【請求項１】
水切り棚と、
前記水切り棚が固定されるキャビネット側板と、を備える水切り棚キャビネットにおいて、
前記キャビネット側板と、前記キャビネット側板に固定される水切り棚固定部と、の間にスペーサーを備えることを特徴とする水切り棚キャビネット。
【請求項２】
水切り棚と、
前記水切り棚が固定されるキャビネット側板と、を備える水切り棚キャビネットにおいて、
前記キャビネット側板の下端よりも下方に前記水切り棚固定部の下端部を備えることを特徴とする水切り棚キャビネット。
【請求項３】
水切り棚と、
前記水切り棚が固定されるキャビネット側板と、を備える水切り棚キャビネットにおいて、
前記キャビネット側板の少なくとも内側に樹脂シートが備えられたことを特徴とする水切り棚キャビネット。
【請求項４】
水切り棚と、
前記水切り棚が固定されるキャビネット側板と、を備える水切り棚キャビネットにおいて、
前記水切り棚固定部が係止可能な係止部を前記キャビネット側板の下方に備えたことを特徴とする水切り棚キャビネット。
【発明の詳細な説明】
【技術分野】
【０００１】
本発明は、水切り棚を備えた水切り棚キャビネットに係り、特にキャビネットの側板の水滴の接触による膨れ防止に好適な水切り棚キャビネットに関する発明である。 
【背景技術】
【０００２】
従来の水切り棚キャビネットは、水切り後の水の垂直方向への落下に対する対策を施したものがあった。（例えば、特許文献１参照。）。 
このような場合、最下部に水切り部を有するので底板に水をためることもなく、また水切りを行いたい食器類などの乾燥に関しても開口部を通し空気が移動するため効率よくなるなど大変便利であった。
【０００３】
しかし、キャビネットの側板に直接水切り棚を備えているため側板内側に水滴が付着し側板の膨れが発生するという問題があった。
具体的には、水切り棚に戴置された濡れた食器などから垂れた水滴が、水切り棚を伝って 、キャビネットの側板にある側に集まり、最終的にキャビネットの側板に触れるために側板の膨れが発生していた。
【特許文献１】特開平１０−１２６号公報
【発明の開示】
【発明が解決しようとする課題】
【０００４】
本発明は、上記問題を解決するためになされたもので、本発明の課題は、水切り棚を備える水切り棚キャビネットにおいて水切り後の水滴を側板に付着させることがないよう対策した水切り棚キャビネットを提供することである。
【課題を解決するための手段】
【０００５】
上記目的を達成するために請求項１記載の発明によれば、
水切り棚と、
前記水切り棚が固定されるキャビネット側板と、を備える水切り棚キャビネットにおいて、
前記キャビネット側板と、前記キャビネット側板に固定される水切り棚固定部と、の間にスペーサーを備えることを特徴とする水切り棚キャビネットを提供する。
よって、スペーサーが水切り棚固定部とキャビネット側板の間に介在する。
したがって、水切り棚固定部とキャビネット側板が接せず、間隔を隔てて位置するので水切り棚で切った水が側板に付着することがない。よって側板に水滴付着による膨れも発生せず良好に使用することができる。
またスペーサーを入れる際に水切り棚固定部に用いるネジなどを利用しスペーサーを固定すれば何ら新たに型などを起こすことなく、水滴付着防止を実現でき大変便利である。
【０００６】
また、請求項２記載の発明によれば、
水切り棚と、
前記水切り棚が固定されるキャビネット側板と、を備える水切り棚キャビネットにおいて、
前記キャビネット側板の下端よりも下方に前記水切り棚固定部の下端部を備えることを特徴とする水切り棚キャビネットを提供する。
よって、水切り棚固定部の下端部がキャビネット側板の下端より下方に配置される。
したがって、水切り棚で切った水が水切り棚固定部を伝って落下しようとしても、水切り棚固定部から離れる時点で側板が存在しないので、側板に水滴が付着しない。よって側板に水滴付着による膨れも発生せず良好に使用することができる。
【０００７】
また、請求項３記載の発明によれば、
水切り棚と、
前記水切り棚が固定されるキャビネット側板と、を備える水切り棚キャビネットにおいて、
前記キャビネット側板の少なくとも内側に樹脂シートが備えられたことを特徴とする水切り棚キャビネットを提供する。
よって、樹脂シートがキャビネット側板の内側に備えられる。
したがって、水切り棚で切られた水滴は直接側板に付着せず、樹脂シートに触れたのち垂直方向へ落下する。よって側板に水滴付着による膨れも発生せず良好に使用することができる。
なお、この樹脂シートの下端を側板の下端より下方にすると、より水滴付着防止効果は上がる。
【０００８】
また、請求項４記載の発明によれば、
水切り棚と、
前記水切り棚が固定されるキャビネット側板と、を備える水切り棚キャビネットにおいて、
前記水切り棚固定部が係止可能な係止部を前記キャビネット側板の下方に備えたことを特徴とする水切り棚キャビネットを提供する。
よって、キャビネット側板の下方に設けた係止部が、前記水切り棚固定部を係止可能となる。
したがって、水切り棚が側板の下端より下方に設けられるため水切り棚で切った水が側板に付着しない。
さらに、係止部を水切り棚キャビネットの前部に備えられた扉の下端より下方に出ないようにすれば意匠性も向上する。
【発明の効果】
【０００９】
本発明によれば、水切り後の水滴が側板に付着することがなく、水滴付着による側板の膨れを防止するという効果がある。
【発明を実施するための最良の形態】
【００１０】
以下、本発明の実施例を図面に基づいて説明する。図１は本発明の第１実施形態に係る水切り棚キャビネットが壁面に設置された状態を示す斜視図、図２は図１におけるキャビネット側板と水切り棚の部分のみを拡大して分かりやすく示すための斜視図、図３は同じく第１実施形態に係る水切り棚キャビネットの水切り棚とキャビネット側板、スペーサーの位置関係を分かりやすく示すための正面図である。
【００１１】
図１において水切り棚キャビネット１１は、家庭の台所の垂直壁面１２に固定的に取り付けられるもので、水切り棚１１１とキャビネット側板１１２・１１３、天板１１４と開き扉１２１の背面部に設けた背板１１５により箱状に形成され、前面上部には開き扉１２１、前面下部には跳ね上げ式の扉１２２を備えている。
なお、本実施例では背板１１５は開き扉１２１の背面部のみに設け、跳ね上げ式の扉１２２の背面には設けていない。よって、後方に窓などがある場合に跳ね上げ式の扉１２２を透明にしておけば外部の光なども入ってきて使い勝手が向上する。
【００１２】
また、前記水切り棚１１１は、図２に示すとおり四方に位置するフレーム１３１と前記フレーム１３１に囲まれた網棚１３２で構成され、水切り棚キャビネット１１の底部に水平に位置している。具体的には、図３に示すとおりフレーム固定ネジ１３４にてフレーム１３１の内側からスペーサー１３３を間に介しキャビネット側板１１２に水平に取り付けられている。
よって本実施形態では側方のフレーム１３１が水切り棚固定部として機能している。
【００１３】
次に実際の使用方法に添って説明する。
ここで、前記水切り棚１１１の上に、キッチンのシンク等で洗い終え、濡れた状態の食器等を置くと網棚１３２の隙間から食器に付着しているほとんどの水滴は落下する。しかし、フレーム１３１に付着した黒塗りで図示する水滴１４１は網棚１３２の隙間からは落下せず、フレーム１３１を下方に伝ってくる。
【００１４】
しかし、図３に示すとおりフレーム１３１とキャビネット側板１１２の間にはスペーサー１３３があるため、前記水滴１４１がキャビネット側板１１２に付着することはなく、水による膨れは発生しない。
なお本実施例ではスペーサーの厚みａは６ｍｍである。また３〜１５ｍｍだと網棚の戴置スペースに十分余裕を持ったまま、水滴付着が効果的に防止できる。
また本実施例ではスペーサー１３３はフレーム１３１と共にキャビネット側板１１２にフレーム固定ネジ１３４にて固定しているため、スペーサー以外の部品が発生しない。
【００１５】
これにより、キャビネット側板の水による膨れを気にすることなく、食器等の水切りを行なうことが可能となる。またそのため耐久性も格段に向上する。
【００１６】
なお、本実施形態では、水切り棚１１１はフレーム１３１と網棚１３２で構成されているが、形状はこれに限定されるものではなく、網棚１３２の代わりに多数の貫通孔を有する平板を用いても構わない。
【００１７】
次に本発明の第２実施形態に係る水切り棚キャビネットについて説明する。図４は本発明の第２実施形態に係る水切り棚キャビネットが壁面に設置された状態を示す斜視図、図５は図４におけるキャビネット側板と水切り棚の位置関係を分かりやすく示すための正面図である。
図４における第２実施形態の水切り棚キャビネット２１は、家庭の台所の垂直壁面２２に固定的に取り付けられるもので、水切り棚２１１とキャビネット側板２１２・２１３、天板２１４と背板２１５により箱状に形成される。なお、前面には開き扉、引き戸等の扉を備えていても構わない。
【００１８】
また、前記水切り棚２１１は、図４に示すとおりフレーム２３１と２３２で構成され、水切り棚キャビネット２１の底部に水平に位置している。具体的には、図５にて距離Xだけキャビネット側板２１２の下端２１６よりも下方にフレーム２３１の下端部２３５が配置されるよう水平に取り付けられている。
【００１９】
ここで、前記水切り棚２１１の上に、キッチンのシンク等で洗い終え、濡れた状態の食器等を置くと、貫通口付平板２３２の貫通口から食器に付着しているほとんどの水滴は落下する。しかし、フレーム２３１に付着した水滴２４１は貫通口付平板２３２の貫通口からは落下せず、フレーム２３１を下方に伝ってくる。
【００２０】
そこで本実施形態をとると、図５に示すとおりフレーム２３１の下端２３５はキャビネット側板２１２の下端２１６よりXだけ下方に位置するため、前記水滴２４１がキャビネット側板２１２に付着することはなく、水による膨れは発生しない。
【００２１】
これにより、キャビネット側板の水による膨れを気にすることなく、食器等の水切りを行なうことが可能である。
【００２２】
次に本発明の第３実施形態に係る水切り棚キャビネットについて説明する。図６は本発明の第３実施形態に係る水切り棚キャビネットが壁面に設置された状態を示す斜視図、図７は図６におけるキャビネット側板と水切り棚の部分のみを拡大して分かりやすく示すための斜視図、図８は同じく第３実施形態に係るキャビネット側板と水切り棚、樹脂シートの位置関係を分かりやすく示すための正面図である。
図６における第３実施形態の水切り棚キャビネット３１は、家庭の台所の垂直壁面３２に固定的に取り付けられるもので、水切り棚３１１とキャビネット側板３１２・３１３、天板３１４と図示しない背板により箱状に形成され、内部には複数の棚、前面上部には開き扉３２１と前面下部には跳ね上げ折戸式の扉３２２を備えている。
【００２３】
ここで前記水切り棚３１１は、図７に示すとおり四角形状のフレーム３３１と前記フレーム３３１で囲まれた網棚３３２で構成され、水切り棚キャビネット３１の底部に水平に位置している。さらには、図８に示すとおり樹脂シート３３３を間に介してキャビネット側板３１２に水平に取り付けられている。
【００２４】
ここで、前記水切り棚３１１の上に、キッチンのシンク等で洗い終え、濡れた状態の食器等を置くと網棚３３２の隙間から食器に付着しているほとんどの水滴は落下する。しかし、フレーム３３１に付着した水滴３４１は網棚３３２の隙間からは落下せず、フレーム３３１を下方に伝ってくる。
【００２５】
そこで本実施形態では、図８に示すとおりフレーム３３１とキャビネット側板３１２の間には樹脂シート３３３があるため、前記水滴３４１がキャビネット側板３１２に付着することはなく、水による膨れは発生しない。
よって優れた耐久性を有した水切り棚キャビネットが得られる。
【００２６】
次に変形例について説明する。
図９は第３実施形態の変形例を示す正面図、図１０も第３実施形態の別の変形例を示す正面図である。
図９に示すとおり樹脂シート３３３の下端をキャビネット側板３１２の下端より下方に位置するように取り付けるとさらに水滴がキャビネット側板３１２にふれなくなり水滴付着防止効果はより向上する。
【００２７】
また、ここで図１０に示すとおり樹脂シート３３４を斜線で示す側方のフレーム３３１の内側に取り付けても同様の水滴付着防止効果は確保することができ、さらに樹脂シート３３４の下端を前記側方フレーム３３１の下端より下方に位置するように取り付けると水滴付着防止効果はより向上する。
【００２８】
これにより、キャビネット側板の水による膨れを気にすることなく、食器等の水切りを行なうことが可能である。
【００２９】
次に本発明の第４実施形態に係る水切り棚キャビネットについて説明する。
図１１は本発明の第４実施形態に係る水切り棚キャビネットが壁面に設置された状態を示す斜視図、図１２は図１１におけるキャビネット側板と水切り棚の位置関係を分かりやすく示すための正面図である。
図１１における第４実施形態の水切り棚キャビネット４１は、家庭の台所の垂直壁面４２に固定的に取り付けられるもので、水切り棚４１１とキャビネット側板４１２、４１３、天板４１４と背板４１５により箱状に形成される。なお、前面には開き扉、引き戸等の扉を備えていても構わない。
【００３０】
また、前記水切り棚４１１は図１１に示すとおりフレーム４３１と網棚４３２で構成され、水切り棚キャビネット４１の底部に水平に位置している。具体的には、図１２に示すとおりキャビネット側板４１２の下端に係止部４３３が取り付けられ、この係止部４３３にフレーム４３１が側方に備える水切り棚固定部４３５を引っ掛けることで水切り棚が水平に架設される。
【００３１】
ここで、前記水切り棚４１１の上に、キッチンのシンク等で洗い終え、濡れた状態の食器等を置くと網棚４３２の隙間から食器に付着している水滴４４１は落下する。しかも、図１２に示すとおり水切り棚４１１はキャビネット側板４１２の下方に設置されているため、食器に付着している前記水滴４４１がフレーム４３１を横方向に伝っても、係止部４３３または水切り棚固定部４３５の下方から水滴４４１は落下する。そのため、前記水滴４４１がキャビネット側板４１２に付着することはなく、水による膨れは発生しない。
【００３２】
これにより、キャビネット側板の水による膨れを気にすることなく、食器等の水切りを行なうことが可能である。
【００３３】
なお、本実施形態において、水切り棚キャビネット４１の前面に備える扉の下端を水切り棚４１１の下端より下方になるよう配置すれば、正面からの意匠性も向上する。
【図面の簡単な説明】
【００３４】
【図１】本発明の第１実施形態に係る水切り棚キャビネットが壁面に設置された状態を示す斜視図である。
【図２】本発明の第１実施形態に係る水切り棚キャビネットの側板と水切り棚の部分を拡大して示した斜視図である。
【図３】本発明の第１実施形態に係る水切り棚キャビネットの水切り棚とキャビネット側板、スペーサーの位置関係を分かりやすく示すための正面図である。
【図４】本発明の第２実施形態に係る水切り棚キャビネットが壁面に設置された状態を示す斜視図である。
【図５】本発明の第２実施形態に係る水切り棚キャビネットの水切り棚とキャビネット側板の位置関係を分かりやすく示すための正面図である。
【図６】本発明の第３実施形態に係る水切り棚キャビネットが壁面に設置された状態を示す斜視図である。
【図７】本発明の第３実施形態に係る水切り棚キャビネットの側板と水切り棚の部分を拡大して示した斜視図である。
【図８】本発明の第３実施形態に係る水切り棚キャビネットの水切り棚とキャビネット側板、樹脂シートの位置関係を分かりやすく示すための正面図である。
【図９】本発明の第３実施形態に係る水切り棚キャビネットの水切り棚とキャビネット側板、樹脂シートの位置関係を分かりやすく示すための正面図である。
【図１０】本発明の第３実施形態に係る水切り棚キャビネットの水切り棚とキャビネット側板、樹脂シートの位置関係を分かりやすく示すための正面図である。
【図１１】本発明の第４実施形態に係る水切り棚キャビネットが壁面に設置された状態を示す斜視図である。
【図１２】本発明の第４実施形態に係る水切り棚キャビネットの水切り棚とキャビネット側板の位置関係を分かりやすく示すための正面図である。
【符号の説明】
【００３５】
１１…水切り棚キャビネット
１２…垂直壁面
２１…水切り棚キャビネット
２２…垂直壁面
３１…水切り棚キャビネット
３２…垂直壁面
４１…水切り棚キャビネット
４２…垂直壁面
１１１…水切り棚
１１２…キャビネット側板
１１３…キャビネット側板
１１４…天板
１１５…背板
１２１…開き扉
１２２…跳ね上げ式の扉
１３１…フレーム
１３２…網棚
１３３…スペーサー
１３４…フレーム固定ネジ
１４１…水滴
２１１…水切り棚
２１２…キャビネット側板
２１３…キャビネット側板
２１４…天板
２１５…背板
２１６…キャビネット側板２１２の下端
２３１…フレーム
２３２…貫通口付平板
２３５…フレーム２３１の下端
２４１…水滴
３１１…水切り棚
３１２…キャビネット側板
３１３…キャビネット側板
３１４…天板
３２１…開き扉
３２２…跳ね上げ折戸式の扉
３３１…フレーム
３３２…網棚
３３３…樹脂シート
３３４…樹脂シート
３４１…水滴
４１１…水切り棚
４１２…キャビネット側板
４１３…キャビネット側板
４１４…天板
４１５…背板
４３１…フレーム
４３２…網棚
４３３…係止部
４３５…水切り棚固定部
４４１…水滴
【図１】
2005137700.tif 000003
【図２】
2005137700.tif 000004
【図３】
2005137700.tif 000005
【図４】
2005137700.tif 000006
【図５】
2005137700.tif 000007
【図６】
2005137700.tif 000008
【図７】
2005137700.tif 000009
【図８】
2005137700.tif 000010
【図９】
2005137700.tif 000011
【図１０】
2005137700.tif 000012
【図１１】
2005137700.tif 000013
【図１２】
2005137700.tif 000014